(57)【要約】【課題】放送番組コンテンツを記録する予約を設定することが可能な記録装置において、その予約とは異なる番組名の放送番組コンテンツが記録された場合に、その放送番組コンテンツを探して消去するといったユーザの手間を軽減する。【解決手段】記録装置は、放送番組コンテンツを記録する予約の実行に際し、予約された番組名とは異なる番組名の放送番組コンテンツが記録された場合に、その放送番組コンテンツに、設定されていない番組名の放送番組コンテンツであることを示す未設定情報を付加する情報付加部２３と、情報付加部２３で付加された未設定情報をユーザに知らせるために出力する情報出力部２５と、ユーザ操作に応じて、記録した放送番組コンテンツを消去する消去部２６と、を備える。【選択図】図１
2013254997.tif 000002
【特許請求の範囲】
【請求項１】
放送番組コンテンツを記録する予約を設定し、該予約に従って記録を行うことが可能な記録装置であって、
前記予約の実行に際し、予約された番組名とは異なる番組名の放送番組コンテンツが記録された場合に、該放送番組コンテンツに、設定されていない番組名の放送番組コンテンツであることを示す未設定情報を付加する情報付加部と、
該情報付加部で付加された未設定情報をユーザに知らせるために出力する情報出力部と、
ユーザ操作に応じて、記録した放送番組コンテンツを消去する消去部と、
を備えたことを特徴とする記録装置。
【請求項２】
記録した放送番組コンテンツのリストを表示するように出力するリスト出力部をさらに備えたことを特徴とする請求項１に記載の記録装置。
【請求項３】
前記情報出力部は、前記未設定情報を、前記リスト中の対応する放送番組コンテンツを示す情報と関連付けて表示するように出力する、若しくは前記リスト中の対応する放送番組コンテンツが選択された場合に表示するように出力することを特徴とする請求項２に記載の記録装置。
【請求項４】
前記消去部は、前記リストに含まれる放送番組コンテンツの中から、ユーザ操作により選択された放送番組コンテンツを消去することを特徴とする請求項３に記載の記録装置。
【請求項５】
前記情報出力部は、前記未設定情報が付加された放送番組コンテンツを全て消去するか否かをユーザに問い合わせる問合せ画像を、前記リストの表示時に表示するように出力することを特徴とする請求項２〜４のいずれか１項に記載の記録装置。
【請求項６】
前記情報出力部は、前記未設定情報が付加された放送番組コンテンツを全て消去するための全消去ボタンを、前記リストの表示時に表示するように出力することを特徴とする請求項２〜４のいずれか１項に記載の記録装置。
【請求項７】
前記予約は、定期的な記録を行うための予約であることを特徴とする請求項１〜６のいずれか１項に記載の記録装置。
【発明の詳細な説明】
【技術分野】
【０００１】
本発明は、放送番組コンテンツを予約により記録することが可能な記録装置に関する。
【背景技術】
【０００２】
従来から、テレビ放送番組を予約録画可能な記録装置が流通している。この種の記録装置では、ユーザが視聴したいチャンネルや番組名や時間帯の指定を含む予約情報を設定すると、その予約設定された予約情報に基づき自動的に録画を行うようになっている。
【０００３】
また、テレビ番組には、例えば連続ドラマのように、毎日或いは毎週などの間隔で定期的に放送されるシリーズ番組がある。このようなシリーズ番組の録画をするため、毎日或いは毎週のような周期で、予約録画を繰り返す設定（繰り返し予約）が可能な記録装置も流通している。なお、予約録画可能な記録装置は、通常、再生機能も備えた記録再生装置として流通している。
【０００４】
しかし、上述のような記録装置では、テレビ局側の番組編成の変更や、シリーズ番組の終了などにより、ユーザが設定した予約情報とは異なった番組名のコンテンツが録画されることがある。そのため、以下の問題が発生することがある。
【０００５】
例えば、ユーザがシリーズ番組を繰り返し予約設定で録画しており、そのシリーズ番組が終了したと仮定する。この場合、（１）ユーザが繰り返し予約設定を行った予約情報を消去する必要がある。また、（２）このような予約情報の消去を実行しない限り、繰り返し予約録画は番組の変更に拘わらず継続されるため、予約する該当番組が終了後に開始された新番組の視聴をユーザが望まない限りは、ユーザが気づかないうちに無駄な録画が継続され、記録装置の記録領域が圧迫されてしまう。
【０００６】
上記（１）における、予約情報の消去に対するユーザの負担を軽減するために、特許文献１には、記録コンテンツの削除指示に応じてその記録コンテンツを削除すると共に、その記録コンテンツの再生回数が零であった場合に、この記録コンテンツに関連する予約情報を消去する記録再生装置が開示されている。
【先行技術文献】
【特許文献】
【０００７】
【特許文献１】特開２００９−１７０９６５号公報
【発明の概要】
【発明が解決しようとする課題】
【０００８】
しかしながら、特許文献１に記載の記録再生装置においても、上記（２）の問題を解決するためには、結局のところ、ユーザが不要な記録コンテンツを一つ一つ選択して消去する必要があり、特にユーザが多くの番組コンテンツを録画していた場合、その作業が面倒で時間がかかる。また、特許文献１に記載の記録再生装置においても、ユーザが視聴しない記録コンテンツを消去する際、無駄に録画した記録コンテンツを見つけないと、それに関連する予約情報を消去して上記（１）を解決することができない。
【０００９】
このように、特許文献１に記載の技術では、予約情報の消去に対するユーザの負担を軽減できるものの、記録したコンテンツの消去に対するユーザの負担を軽減することはできない。
【００１０】
本発明は、上述のような実状に鑑みてなされたものであり、その目的は、放送番組コンテンツを記録する予約を設定することが可能な記録装置において、その予約とは異なる番組名の放送番組コンテンツが記録された場合に、その放送番組コンテンツを探して消去するといったユーザの手間を軽減することを可能にすることにある。
【課題を解決するための手段】
【００１１】
上記課題を解決するために、本発明の第１の技術手段は、放送番組コンテンツを記録する予約を設定し、該予約に従って記録を行うことが可能な記録装置であって、前記予約の実行に際し、予約された番組名とは異なる番組名の放送番組コンテンツが記録された場合に、該放送番組コンテンツに、設定されていない番組名の放送番組コンテンツであることを示す未設定情報を付加する情報付加部と、該情報付加部で付加された未設定情報をユーザに知らせるために出力する情報出力部と、ユーザ操作に応じて、記録した放送番組コンテンツを消去する消去部と、を備えたことを特徴としたものである。
【００１２】
本発明の第２の技術手段は、第１の技術手段において、記録した放送番組コンテンツのリストを表示するように出力するリスト出力部をさらに備えたことを特徴としたものである。
【００１３】
本発明の第３の技術手段は、第２の技術手段において、前記情報出力部は、前記未設定情報を、前記リスト中の対応する放送番組コンテンツを示す情報と関連付けて表示するように出力する、若しくは前記リスト中の対応する放送番組コンテンツが選択された場合に表示するように出力することを特徴としたものである。
【００１４】
本発明の第４の技術手段は、第３の技術手段において、前記消去部は、前記リストに含まれる放送番組コンテンツの中から、ユーザ操作により選択された放送番組コンテンツを消去することを特徴としたものである。
【００１５】
本発明の第５の技術手段は、第２〜第４のいずれか１の技術手段において、前記情報出力部は、前記未設定情報が付加された放送番組コンテンツを全て消去するか否かをユーザに問い合わせる問合せ画像を、前記リストの表示時に表示するように出力することを特徴としたものである。
【００１６】
本発明の第６の技術手段は、第２〜第４のいずれか１の技術手段において、前記情報出力部は、前記未設定情報が付加された放送番組コンテンツを全て消去するための全消去ボタンを、前記リストの表示時に表示するように出力することを特徴としたものである。
【００１７】
本発明の第７の技術手段は、第１〜第６のいずれか１の技術手段において、前記予約は、定期的な記録を行うための予約であることを特徴としたものである。
【発明の効果】
【００１８】
本発明によれば、放送番組コンテンツを記録する予約を設定することが可能な記録装置において、その予約とは異なる番組名の放送番組コンテンツが記録された場合に、その放送番組コンテンツを探して消去するといったユーザの手間を軽減することができる。
【図面の簡単な説明】
【００１９】
【図１】本発明に係る記録再生装置の一構成例を示すブロック図である。
【図２】図１の記録再生装置における処理例を説明するためのフロー図である。
【図３】図１の記録再生装置から出力する録画リストの一例を示す図である。
【図４】図１の記録再生装置から出力する録画リストの他の例を示す図である。
【図５】図１の記録再生装置から出力する消去リストの一例を示す図である。
【図６】図１の記録再生装置から出力する録画リストの他の例を示す図である。
【発明を実施するための形態】
【００２０】
以下、本発明に係る記録装置について、再生機能をもった記録再生装置を例に挙げて説明するが、再生機能は必須ではなく、その場合、再生機能をもった機器に接続しておけばよい。また、記録対象のコンテンツは、テレビ放送番組のコンテンツに限らず、ラジオ番組のコンテンツなどであってもよい。つまり、放送番組コンテンツとしては、映像・音声データの双方が含まれても、音声データのみが含まれてもよい。
【００２１】
図１は、本発明に係る記録再生装置の一構成例を示すブロック図である。
図１で例示する記録再生装置１は、チューナ部１１、ＡＶ（Audio Visual）データ調整部１２、メモリ１３、制御部１４、赤外線受信部１５、出力部１６、ＨＤＤ（Hard disk drive）１７、及び記録再生部１８がバス接続されてなる。
【００２２】
チューナ部１１は、アンテナで受信したテレビ放送の放送波を復調、復号し、放送番組コンテンツについての映像・音声データや番組情報等の他のデータを、ＡＶデータ調整部１２に渡す。ＡＶデータ調整部１２は、復号した放送番組コンテンツにおける映像データ及び音声データに対し、必要に応じて画質調整処理や音質調整処理を施す。
【００２３】
メモリ１３は、チューナ部１１で復号した番組情報のデータから制御部１４（制御部１４における後述のリスト出力部２４）で作成した電子番組表のデータである番組表データや、制御部１４における後述の予約設定部２１で設定した予約情報のデータである予約データなどを格納する。メモリ１３は、ＥＥＰＲＯＭ（Electrically Erasable Programmable Read Only Memory）等の不揮発性メモリである。
【００２４】
制御部１４は、記録再生装置１の全体の制御を行うためのものであり、ＣＰＵ（Central Processing Unit）、作業領域としてのＲＡＭ（Random Access Memory）、及び、制御プログラムを記録したＲＯＭ（Read Only Memory）等の記憶装置などのモジュールで構成される。ここで、制御プログラムとは、本発明に係る処理を含む記録再生装置１の処理を、ＣＰＵに実行させるためのプログラムである。このプログラムは、これを記録した可搬の記録媒体として流通させるか、或いはインターネット等のネットワークを介して流通させるか、或いは放送波として送信することで流通させるなどして、ＣＰＵから実行可能な状態で上記記憶装置に記憶させることで、実装することができる。
【００２５】
また、図１の例では、制御部１４は、予約設定部２１、予約実行部２２、情報付加部２３、リスト出力部２４、情報出力部２５、及び消去部２６を備える。予約設定部２１は、番組表データから電子番組表を表示装置に表示させるなどして、ユーザ操作に従い記録の予約設定を行い、予約情報を予約データの一部としてメモリ１３に登録する。この予約情報には、少なくとも番組名、放送チャンネル、放送日時を含む。
【００２６】
また、記録再生装置１では、記録の予約を設定し、その予約に従って記録を行うことが可能となっている。このような予約の設定も予約設定部２１が行う。より好ましくは、定期的な記録を行うための予約（所定期間毎に記録を繰り返す予約）を設定し、その予約に従って記録を行うことが可能になっている。このような定期的な予約の設定も、予約設定部２１が行う。そのため、予約設定部２１では、予約情報に、毎日適用するのか、毎週適用するのか、といった間隔を示す情報を含めるような設定を行うことが可能になっている。
【００２７】
例えば、電子番組表から記録したい番組を選択して予約情報を登録し、その選択をトリガとしてその予約情報を変更するためのユーザインターフェース（ＵＩ）画像を表示させる。このＵＩ画像には、間隔を変更するための領域、より具体的には、一回だけ記録するのか、毎日するのか、毎週するのか（毎週何曜日にするのか）を変更するための領域を含んでおけばよい。そして、このＵＩ画像を表示時に操作部から受け付けたユーザ操作に従い、間隔を予約情報に書き込めばよい。なお、このように週毎の予約を行う可能性があるため、元々の予約情報に、放送日時として放送の日付、放送される時間帯だけでなく、放送される曜日も含めておくことが好ましい。
【００２８】
予約実行部２２は、メモリ１３の予約データを監視して予約の時間帯が到来したことを予約情報から検出した場合に、その予約情報のチャンネル及び時間帯に基づき、チューナ部１１での選局を指示すると共に、記録再生部１８に対して受信した放送番組コンテンツをＨＤＤ１７に記録するように指示する。なお、記録先はＨＤＤ１７に限ったものではなく、予約情報の一部として記録先も設定可能にしておくことが好ましい。
【００２９】
このような定期的な予約を行う予約情報に基づき予約実行部２２が記録を制御することにより、例えば連続ドラマのように、毎日或いは毎週などの間隔で定期的に放送されるシリーズ番組を繰り返し予約することができる。無論、予約実行部２２が記録を制御する予約は、定期的なものに限ったものではなく、一度限りの予約であってもよい。なお、各部２３〜２６の詳細については後述する。
【００３０】
赤外線受信部１５は、リモートコントローラ（リモコン装置）から発せられた赤外線の操作信号を受信し、制御部１４に伝える。制御部１４では、この操作信号に対応した処理を実行するように記録再生装置１の各部を制御する。赤外線受信部１５は、ユーザ操作を受け付ける操作部の一例である。
【００３１】
このような操作部は、記録再生装置１の本体に操作ボタンを設けることで実装してもよいし、また、記録再生装置１に接続された表示装置等の他のＡＶ機器からの操作信号をＨＤＭＩ（High-Definition Multimedia Interface）ケーブル等を介して受け付ける構成を採用することで実装してもよい。無論、複数種類の操作部を記録再生装置１に同時に実装することもできる。
【００３２】
出力部１６は、記録再生装置１に接続されたテレビ装置やモニタ装置といった表示装置に映像・音声データを出力するためのケーブル用の端子又は無線通信部でなる。なお、この表示装置は、画像を表示する液晶パネルや有機エレクトロルミネッセンスのパネルなどの表示パネルを備える。また、表示装置には音声を出力するスピーカも備えていることを前提に説明するが、無論、スピーカは別途設けてもよい。
【００３３】
出力部１６から出力対象の映像・音声データは、チューナ部１１からＡＶデータ調整部１２を経て出力された放送番組コンテンツのＡＶデータであってもよいし、ＨＤＤ１７内に格納され記録再生部１８により再生された放送番組コンテンツのＡＶデータであってもよい。
【００３４】
ＨＤＤ１７は、予約情報に基づき予約実行部２２から記録を指示された放送番組コンテンツや、通常の記録開始ボタンの押下により記録が開始された放送番組コンテンツ、或いは他のＡＶ機器やＰＣ（パーソナルコンピュータ）などの機器から送信されたコンテンツなどを保存する保存部（記憶部）の一例である。
【００３５】
記録再生部１８は、放送番組コンテンツの記録や他の機器から転送されたコンテンツの記録をＨＤＤ１７に対して行う制御を行う。放送番組コンテンツについては上述したように予約実行部２２からの指示に基づいて記録を制御することもある。また、記録再生部１８は、ＨＤＤ１７等に記録されたコンテンツを読み出して再生し、出力部１６に渡す制御も行う。なお、再生時に更なる画質や音質の調整が必要であれば、ＡＶデータ調整部１２を介して出力部１６に渡せばよい。
【００３６】
記録再生装置１は、上述のような構成において、情報付加部２３及び情報出力部２５を備えることを主たる特徴とする。情報付加部２３は、放送番組コンテンツを記録する予約の実行に際し、予約された番組名とは異なる番組名の放送番組コンテンツが記録された場合に、その放送番組コンテンツに、設定されていない番組名の放送番組コンテンツであることを示す情報（以下、未設定情報と言う）を付加する。
【００３７】
ここで、「予約の実行に際し」とは、定期的な予約を実行して記録する場合に留まらず、例えば一度きりの記録予約でも、それを実行する場合や、さらにその一度きりの記録予約を元に次週も自動的に記録予約するような機能をもつ場合も含まれる。
【００３８】
また、「予約された番組名とは異なる番組名の放送番組コンテンツが記録された場合」には、（Ａ）予約情報に基づき、予約を設定したときと記録を実行するときとで番組名が異なる場合、或いは（Ｂ）予約情報が定期的な予約であることを示しており、記録が終了し次の番組を検索しても同じ番組名が見つからなかった場合に、このような記録がなされる。そして、このような記録がなされた場合には、予約の該当番組ではなく、ユーザが消去を望む可能性があると想定する。
【００３９】
また、上記（Ａ）としては、臨時ニュースにより番組が大幅に変更になり予約情報に含まれる番組の放送が中止になった場合が挙げられ、上記（Ｂ）は番組の改編期によく生じる事象である。そのため、本発明に係る効果は、定期的な予約を行った場合により得られる。
【００４０】
未設定情報は、放送番組コンテンツの記録が開始された段階で付加してもよいし、記録が終了した段階で付加してもよいし、予約情報を確認して記録を開始する前の段階で空の放送番組コンテンツ（記録開始によりデータが書き込まれる）に付加してもよい。
【００４１】
情報出力部２５は、情報付加部２３で付加された未設定情報をユーザに知らせるために出力する。そのため、情報出力部２５は情報通知部とも言える。なお、基本的にはユーザに視認させることで知らせるが、音声で知らせることもできる。つまり、情報出力部２５では出力のために検索を行う必要があるため、情報付加部２３で付加される未設定情報は、検索に用いられるフラグと言える。
【００４２】
消去部２６は、ユーザ操作に応じて、記録した放送番組コンテンツを消去する。無論、消去の対象は、上記の定期的な予約の実行により記録されたものに限らず、一度の予約により記録されたものであってもよいし、無論、通常の記録開始ボタンの押下により記録が開始されたものであってもよい。このような消去部２６の存在により、ユーザは情報出力部２５で知った未設定情報に基づき放送番組コンテンツを消去する操作を行うことができる。
【００４３】
未設定情報は、ユーザに知らせるために出力するものであるため、情報出力部２５はユーザが識別可能なように出力する。例えば、単に、そのような放送番組コンテンツの記録が終了し且つ未設定情報が付加された段階で、放送番組コンテンツの記録完了処理の一つとして未設定情報があるか否かを検索して、あった場合には、「未設定情報が記録されました」や「意図していない記録タイトルがあります」といったことを伝えるＵＩ画像をポップアップ表示させてもよいし、そこで併せて、消去するかを問い合わせるようにしてもよい。
【００４４】
しかし、このような記録終了毎の表示はユーザにとって煩わしいため、リスト出力を行ったときに併せて未設定情報を出力することが好ましい。そのため、記録再生装置１は、リスト出力部２４を備えることが好ましい。リスト出力部２４は、記録した放送番組コンテンツのリストを表示するように、出力部１６を介して出力する。
【００４５】
ここで、リストとしては、記録した放送番組コンテンツの一覧である記録リストや、消去候補となる放送番組コンテンツを様々な条件に基づき抽出して掲載した消去リストであってもよい。いずれのリストを表示させるかもユーザ操作に従えばよい。また、録画リストは再生するコンテンツを選択するために有効に用いることができるため、録画リストを採用する場合には、記録再生装置１は、リスト出力部２４で出力中のリストの中からユーザ操作で選択された放送番組コンテンツを再生する再生部を備えればよい。この再生部は記録再生部１８で例示している。消去リストの場合、抽出条件の一つが上記未設定情報が付加された放送番組コンテンツであるといった条件となる。
【００４６】
また、リスト出力部２４から出力されるリストに含まれる放送番組コンテンツは、定期的な予約の実行により記録されたものに限らず、一度きりの予約の実行により記録されたものや、受信中の記録開始操作（録画開始ボタンの押下操作）により記録されたものも含めて、対象とすることが望ましい。さらに、このリストには他の機器から受信したコンテンツも対象としてもよい。
【００４７】
次に、図２を参照しながら、定期的な録画予約（繰り返し録画予約）を行う場合の記録再生装置１の録画動作について説明する。図２は、図１の記録再生装置における記録処理例を説明するためのフロー図である。なお、ここでは、映像データを少なくとも記録する例、つまり録画を行う例を挙げている。
【００４８】
まず、予約設定部２１は、定期的録画予約の設定を行うユーザ操作に基づき、予約が設定される（ステップＳ１）。そして、予約実行部２２は、その設定した情報（予約情報）を基に記録再生部１８等を制御して録画を実行させる（ステップＳ２）。録画が終了すると（ステップＳ３）、予約設定部２１は次の予約を設定する。ここでは繰り返し予約であることを前提としているため、予約情報には間隔を示す情報が含まれているが、予約設定部２１は、これを読み出して次の予約を自動的に設定する。
【００４９】
このような自動的な設定について、より具体的に説明する。まず、予約設定部２１がメモリ１３の番組表データから同じ番組名を検索する（ステップＳ４）。次に、予約設定部２１が、検索した結果、合致する番組名があるか否かを判定し（ステップＳ５）、あった場合（ＹＥＳである場合）には、同じ番組の予約録画設定を行い（ステップＳ６）、ステップＳ２へ戻る。ステップＳ６では、元の予約情報に対して少なくとも日時を書き換えたものを更新後の予約情報としてメモリ１３に上書きする。また、検索時には、ある程度の時間幅の余裕をもって検索することで、例えば放送予定がずれても対象の番組が検索できる。
【００５０】
一方、予約設定部２１は、合致する番組名がない場合（ステップＳ５でＮＯである場合）には、予約情報に「該当番組なし」の情報を保存しておき、「該当番組なし」で予約を設定する（ステップＳ７）。ステップＳ７では、元の予約情報に対して少なくとも「該当番組なし」を示す情報を加えて日時を書き換えたものを、更新後の予約情報としてメモリ１３に上書きする。次に、予約実行部２２が、ステップＳ７で設定された予約情報を基に録画を実行する（ステップＳ８）。
【００５１】
ステップＳ７では「該当番組なし」を示す情報を予約情報に含めており、ステップＳ８の処理後に、情報付加部２３が、この「該当番組なし」を示す情報に基づき、録画した放送番組コンテンツのデータ（録画データ）に上記未設定情報を追加する（ステップＳ９）。これにより、該当番組なしの予約情報から該当番組ではない録画であることが検索できるようになる。なお、ステップＳ９では、録画データに番組名の情報を付加するのと同様に付加を行えばよい。ステップＳ９の処理後は、ステップＳ２に戻り、ステップＳ７で設定された予約情報に基づき録画が実行される。予約情報が消去されない限り、ステップＳ２〜Ｓ８の処理が繰り返し行われ、録画データが増える。
【００５２】
ここで、ステップＳ９の処理を経ても、予約情報における番組名は変えず、ステップＳ７で設定した番組名「該当番組なし」のままに保つものとする。これについて、例えば毎週金曜日に「ＡＡＡ」といった番組名の放送番組コンテンツを録画する定期的予約を行い、「ＡＡＡ」が番組改編により終了した場合で説明する。「ＡＡＡ」が終了した次の週にはステップＳ２〜Ｓ９の処理により問題なく処理が進むが、番組名「該当番組なし」のままに保たない場合には、予約情報中の「番組名」を上記次の週で実際に録画した放送番組コンテンツの番組情報から抽出してその番組名（例えば「ＢＢＢ」）に書き換えてしまうことになる。そうすると、さらに次の週は、予約情報に番組名「ＢＢＢ」が含まれるため、ユーザが視聴したい番組かどうかが分からないままその「ＢＢＢ」の視聴を望むものとして、録画が実行されても未設定情報が付加されないことになってしまう。よって、番組名「該当番組なし」のままにしておく。
【００５３】
なお、ステップＳ８で録画を完了した放送番組コンテンツについては番組情報として正規の番組名を付しておけばリスト表示時にも番組名が「該当番組なし」と表記されることはない。また、ユーザ操作により番組名だけの変更を受け付けることを可能とし、番組名の変更を受け付けた場合については、新たな予約情報として取り扱うことは可能である。
【００５４】
以上のような処理により、録画データが増えると、ユーザは録画データを消去しようとする。このとき、本発明では、予約情報に「該当番組ではないことを示す情報」が含まれるだけではなく、録画データにそれを示す未設定情報（すなわち、該当番組ではないことを示す情報）を付加するため、録画データから未設定情報をもつものを検索することができる。よって、本発明の情報出力部２５は、そのような検索に基づき未設定情報をもつ録画データをユーザに伝えることができる。
【００５５】
このように、本発明によれば、定期的な予約の設定により、予約とは異なる番組名の録画データが記録された場合にも、その録画データを消去のために探すといったユーザの手間を軽減することができる。
【００５６】
次に、図３〜図６を参照しながら、ユーザに知らせる方法について、リスト出力に伴って知らせる例を説明する。図３は、図１の記録再生装置から出力する録画リストの一例を示す図、図４は、図１の記録再生装置から出力する録画リストの他の例を示す図、図５は、図１の記録再生装置から出力する消去リストの一例を示す図、図６は、図１の記録再生装置から出力する録画リストの他の例を示す図である。
【００５７】
図３で例示する録画リスト３０には、放送番組コンテンツの一覧３１と共に、現在選択されている放送番組コンテンツ（この例では「ＢＢＢ」３１ａ）についてのチャンネル名、ＴＶ局名、番組名、放送日時、記録時間、グループ名などの情報３２が表示されている。なお、グループ名は、ユーザが放送番組コンテンツをグループ分けしたものを指す。また、録画リスト３０には、現在選択されている放送番組コンテンツ（タイトル）が消去に対する保護（ロック）が掛っていることを示すアイコン３３も表示されている。
【００５８】
そして、現在選択されている放送番組コンテンツである「ＢＢＢ」３１ａに未設定情報が付加されている場合には、情報出力部２５が、図示したように「意図していない録画を示すアイコン（つまり未設定情報が付加されていることを示すアイコン）」３４を表示するように出力する。なお、アイコン３４は単なる絵柄であってもよいが、図示したようなどのようにして録画されたコンテンツであるかを示す文章や未設定情報が付加される理由を示す文章などをふくむことが望ましい。
【００５９】
以上、録画リスト３０のアイコン３４で例示したように、情報出力部２５は、未設定情報を、このリスト中の対応する放送番組コンテンツが選択された場合に表示するように出力すればよい。そして、ユーザは、このリスト（実際には表示欄の関係上、表示しきれていない分も含む）に含まれる放送番組コンテンツの中から消去する放送番組コンテンツを１又は複数選択して、別途設けた消去ボタンを選択する。これにより、消去部２６は、ユーザ操作により選択された放送番組コンテンツを消去する。
【００６０】
図４で例示する録画リスト４０には、放送番組コンテンツの一覧４１と共に、現在選択されている放送番組コンテンツ（この例では「ＢＢＢ」４１ａ）についての情報４２（上述の情報３２と同様の情報）が表示されている。また、録画リスト４０には、現在選択されている放送番組コンテンツ（タイトル）４１ａが保護されていることを示すアイコン４３も表示されている。
【００６１】
そして、現在の選択とは無関係に、一覧４１に含まれる放送番組コンテンツのうち未設定情報が付加されているもの全てについて、情報出力部２５が、アイコン３４と同様のアイコン４４をその放送番組コンテンツに関連付けて表示するように出力する。図４では、２番目のタイトルと５番目のタイトルの合計２つの放送番組コンテンツについてアイコン４４が付記された例を挙げている。
【００６２】
以上、録画リスト４０のアイコン４４で例示したように、情報出力部２５は、上記未設定情報を、リスト中の対応する放送番組コンテンツを示す情報と関連付けて表示するように出力するようにしてもよい。この場合にも、消去部２６は、そのリストに含まれる放送番組コンテンツの中から、ユーザ操作により選択された放送番組コンテンツを消去すればよい。
【００６３】
図５で例示する消去リスト５０には、消去候補となる放送番組コンテンツの一覧５１と共に、現在選択されている放送番組コンテンツ（この例では「ＢＢＢ」５１ａ）についての情報５２（上述の情報３２と同様の情報）が表示されている。また、消去リスト５０には、現在選択されている放送番組コンテンツ（タイトル）５１ａが保護されていることを示すアイコン５３も表示されている。なお、一覧５１には、上述したように、上記未設定情報とは異なる条件により消去候補となった放送番組コンテンツを含むことができるが、録画されている放送番組コンテンツ全てを含むように、つまり一覧５１を一覧３１と同様にしてもよい。
【００６４】
さらに、消去リスト５０を表示させる操作をユーザが行うと、情報出力部２５は、このような消去リスト５０に重ねて、問合せ画像５４を表示させるように出力する。問合せ画像５４は、「録画設定している番組が終了したため、意図していない録画タイトルがあります。そのタイトルを全て消去しますか。」などといった文章５４ａと共に、「する」ボタン５４ｂ及び「しない」ボタン５４ｃがユーザ選択可能に表示されており、これにより、ユーザに全部消去するか否かを問い合わせることができる。
【００６５】
ここで、「する」ボタン５４ｂが選択された場合には、消去部２６が未設定情報が付加された放送番組コンテンツを全て削除し、「しない」ボタン５４ｃが選択された場合にはいずれも消去しない。いずれが選択された場合にも問合せ画像５４は消す。よって、「しない」ボタン５４ｃが選択された場合には、ユーザは一覧５１の中から消去したいタイトルを選択して消去していけばよい。
【００６６】
以上、消去リスト５０の問合せ画像５４で例示したように、情報出力部２５は、上記未設定情報が付加された放送番組コンテンツを全て消去するか否かをユーザに問い合わせる問合せ画像を、リストの表示時に表示するように出力してもよい。
【００６７】
図６で例示する録画リスト６０には、放送番組コンテンツの一覧６１と共に、現在選択されている放送番組コンテンツ（この例では「ＢＢＢ」６１ａ）についての情報６２（上述の情報３２と同様の情報）が表示されている。また、録画リスト６０には、現在選択されている放送番組コンテンツ（タイトル）６１ａについて、保護されていることを示すアイコン６３やアイコン３４と同様のアイコン６４も表示されている。
【００６８】
そして、現在の選択とは無関係に、情報出力部２５が、一覧６１に含まれる放送番組コンテンツのうち未設定情報が付加されているもの全てについて消去を実行するための全消去ボタン６５を、録画リスト６０にユーザ選択可能に表示するように出力する。ユーザによりこの全消去ボタン６５が選択された場合、消去部２６が未設定情報が付加された放送番組コンテンツを全て削除する。また、もし、一覧６１中に未設定情報が付加された放送番組コンテンツが一つも存在しない場合には、全消去ボタン６５を選択できないようにグレイアウト表示しておくか、未表示にしておけばよい。
【００６９】
以上、録画リスト６０の全消去ボタン６５で例示したように、情報出力部２５は、上記未設定情報が付加された放送番組コンテンツを全て消去するための全消去ボタンを、リストの表示時に表示するように出力するようにしてもよい。
【００７０】
また、図３〜図６で例示したリスト出力の機能は、いずれも同じ記録再生装置に同時に搭載することができる。さらに、図３〜図６で例示したリスト出力は適宜組み合わせることができる。例えば、図６における全消去ボタン６５を、図３，図４の録画リスト３０，４０や図５の消去リスト５０に表示させてもよいし、図５の問合せ画像５４を図３，図４，図６の録画リスト表示時に表示させてもよい。
【符号の説明】
【００７１】
１…記録再生装置、１１…チューナ部、１２…ＡＶデータ調整部、１３…メモリ、１４…制御部、１５…赤外線受信部、１６…出力部、１７…ＨＤＤ、１８…記録再生部、２１…予約設定部、２２…予約実行部、２３…情報付加部、２４…リスト出力部、２５…情報出力部、２６…消去部、３０，４０，６０…録画リスト、５０…消去リスト。
【図１】
2013254997.tif 000003
【図２】
2013254997.tif 000004
【図３】
2013254997.tif 000005
【図４】
2013254997.tif 000006
【図５】
2013254997.tif 000007
【図６】
2013254997.tif 000008